(57)【特許請求の範囲】
【請求項１】
吐出口を有する複数の注入管を吐出口が管軸方向の異なる位置にくるように結束することにより構成された結束注入管を削孔内に挿入し、当該注入管と孔壁との間隙をシール材を充填してシールした後、前記注入管を通して孔壁周囲の地盤中に地盤改良材を注入する地盤注入装置において、前記結束注入管の管軸方向の一ケ所または複数ケ所で注入管を湾曲させて湾曲部を形成し、または軸方向にゆるませて結束し、当該湾曲部またはゆるませた部分と削孔内に充填されたシール材が一体に固化してシールパッカーを形成することにより、注入管の吐出口から吐出した地盤改良材が結束注入管の隙間にそって地上に流出するのを防止するように構成されていることを特徴とする地盤注入装置。
【請求項２】
請求項１記載の地盤注入装置において、前記注入管は軟質性のチューブから形成されていることを特徴とする地盤注入装置。
【請求項３】
請求項１または２記載の地盤注入装置において、前記注入管または結束注入管に棒状、或いは吐出口を有するパイプ状の芯材が抱き合わせてあることを特徴とする地盤注入装置。
【請求項４】
請求項１〜３のいずれか一項に記載の地盤注入装置において、地盤改良材貯蔵タンクと、一プラント中にそれぞれ独立した駆動源で作動し、かつ、集中管理装置で制御される複数のユニットポンプを備えた多連装注入装置と、地盤に埋設され、それぞれが前記各ユニットポンプと導管を通して接続された、吐出口を有する複数本の注入管とを備え、前記導管に流量圧力検出器を備えてなり、これにより前記流量圧力検出器からの流量および／または圧力データの信号を集中管理装置に送信し、注入状況を集中管理装置で一括管理しながら前記タンク中の地盤改良材を各ユニットポンプの作動により任意の注入速度、注入圧力あるいは注入量で各注入管に圧送し、複数の吐出口から同時に或いは選択的に地盤に多点注入することを特徴とする地盤注入装置。
【請求項５】
吐出口を有する複数の注入管を吐出口が管軸方向の異なる位置にくるように結束することにより構成された結束注入管を削孔内に挿入し、当該注入管と孔壁との間隙をシール材の注入によりシールした後、前記結束注入管を通して孔壁周囲の地盤に注入する地盤注入工法において、前記結束注入管の所定区間を湾曲させて湾曲部を形成し、または軸方向にゆるませて結束し、当該湾曲部またはゆるませた部分とシール材が一体に固化してシールパッカーを形成することにより、結束注入管の吐出口から吐出した地盤改良材が結束注入管の隙間にそって地上に流出するのを防止することを特徴とする地盤注入工法。
【請求項６】
請求項５記載の地盤注入工法において、地盤改良材貯蔵タンクと、一プラント中にそれぞれ独立した駆動源で作動し、かつ、集中管理装置で制御される複数のユニットポンプを備えた多連装注入装置と、地盤に埋設され、それぞれが前記各ユニットポンプと送液管を通して接続された、吐出口を有する複数本の注入管とを備え、前記送液管に流量圧力検出器を備えてなり、これにより前記流量圧力検出器からの流量および／または圧力データの信号を集中管理装置に送信し、注入状況を集中管理装置で一括管理しながら前記タンク中の地盤改良材を各ユニットポンプの作動により任意の注入速度、注入圧力あるいは注入量で各注入管に圧送し、複数の吐出口から同時に或いは選択的に地盤に多点注入することを特徴とする地盤注入工法。
【発明の詳細な説明】
【技術分野】
【０００１】
本発明は、吐出口を有する複数の注入細管を注入細管の吐出口が管軸方向の異なる位置にくるように結束することにより構成された結束注入管を削孔内に挿入し、当該結束注入管を通して地盤中に地盤改良材を注入する地盤注入装置並びに地盤注入工法に関し、特に結束注入管を通して地盤中に地盤改良材を注入する際、各注入細管の吐出口から削孔内に吐出された注入材が、注入細管と注入細管との間隙を管軸方向に沿って流れ互いに混ざり合ってしまったり、あるいは地上に溢れ出してしまう事態を防止して、孔壁周囲の各注入ステージに最適量の注入材を確実にかつ効率的に浸透注入できるようにしたものである。
【背景技術】
【０００２】
これまで出願人は、先端部に吐出口を有する複数の注入細管を各注入細管の吐出口が管軸方向の異なる位置にくるように互いに添い合わせ結束することにより構成され結束注入管（図９(b)）を用いて、地盤中の各ステージに必要量の地盤改良材をステージ毎に浸透注入させて地盤改良を行う地盤注入工法を開発している（図９(a),(b)、特許文献１参照)。
【０００３】
この結束注入管を利用すると、地盤中の各ステージに最適量の注入材を注入することができ、また各ステージに同時に、あるいは時間をずらして注入することもでき、さらにステージ毎に異なる注入材を注入することもできる等のメリットがある。
【０００４】
また、複数の注入管を複数の注入地点に間隔をおいて設置して注入することにより、造成地などの広大な面積の地盤に対しても、複数地点に同時にまたは順番に、あるいは注入地点毎に異なる注入材を注入することができ、きわめて効率的に地盤改良を実施することができる（図９(a)）。
【０００５】
実施に際しては、ボーリング等で形成した削孔内に結束注入管を挿入し、その周囲にセメントベントナイトスラリーや低アルカリのカルシウムシリケートスラリー等の低強度の固化材（以下「シール材」という）を充填して孔壁と結束注入管との間隙をシールする。そして、各注入細管を通して削孔内に注入材を注入する。
【０００６】
そうすると、各注入細管の吐出口から削孔内の各ステージに注入材が吐出し、注入材はその吐出圧で吐出口周辺の固化したシール材を砕いて孔壁側に流れ、孔壁より孔壁周囲の各ステージ内に浸透注入される。
【先行技術文献】
【特許文献】
【０００７】
【特許文献１】特許第３７２４６４４号公報
【発明の概要】
【発明が解決しようとする課題】
【０００８】
しかし、従来の結束注入管では、結束注入管と孔壁間の間隙はセメントスラリー等からなるシール材を充填することによりほぼ完璧にシールできるものの、結束注入管を構成する注入細管と注入細管との間隙には懸濁液が浸入し得ないので完全にシルールすることは困難であった。
【０００９】
このため、各注入細管の吐出口から吐出した注入材は、注入細管と注入細管との間隙を管軸方向に流れて地上に流出してしまうことがあった。
【００１０】
また、ステージごとに最適量の地盤改良材、あるいは異なる種類の地盤改良材を注入したつもりでも、地上に溢れ出さないまでも削孔内で互いに混ざり合ってしまい、ステージごとに最適量の地盤改良材、異なる種類の地盤改良材を確実に注入できないという課題があった。
【００１１】
この現象は結束注入管の場合に限らず、単体の注入管を用いても発生することがあり、注入管の吐出口から吐出した注入材が注入管とその周囲のシール材との間隙を注入管に沿って管軸方向に流れて地上に溢れ出してしまうという課題があった。
【００１２】
本発明は、以上の課題を解決するためになされたもので、削孔内に挿入された結束注入管の各注入細管の吐出口から削孔内に吐出した地盤改良材が、注入管に沿って、或いは注入管と注入管との間隙に沿って管軸方向に流れて互いに混ざり合ってしまつたり、あるいは地上に溢れ出してしまう事態を防止し、簡便な構造でかつ施工条件、地盤条件に容易に順応できる結束注入管を用いて孔壁周囲の各ステージに確実に浸透注入できるようにした地盤改良装置並びに地盤注入工法を提供することを目的とするものである。
【課題を解決するための手段】
【００１３】
本発明は、吐出口を有する注入管を削孔内に挿入し、当該注入管と孔壁との間隙をシール材の注入によりシールした後、前記注入管を通して孔壁周囲の地盤中に地盤改良材を注入することにより地盤改良を行う地盤注入装置および注入工法の発明であり、前記注入管の所定区間を湾曲に変形させ、かつ当該湾曲部と前記シール材が一体に固化したシールパッカーを形成することにより、前記注入管の吐出口から吐出した地盤改良材が注入管に沿って或いは注入管と注入管同士の隙間に沿って、地上に流出するのを防止するようにしたことを特徴とするものである。
【００１４】
このようにすることにより、注入深度が地表面に近くても地盤改良液は地表面に逸出せずに所定の深度で周辺に浸透することができる（図１〜図７）。
【００１５】
また、前記注入管を複数、吐出口が管軸方向の異なる位置にくるように互いに添い合わせ結束することにより構成された結束注入管を削孔内に挿入し、当該結束注入管と孔壁との間隙をシール材の注入によりシールした後、前記結束注入管を通して孔壁周囲の各ステージに注入材を注入する地盤注入装置および注入工法の発明であり、前記各注入管の所定区間を湾曲に変形させ、あるいは軸方向にゆるませて結束し、かつ当該湾曲部あるいはゆるませた部分と前記シール材が一体に固化したシールパッカーを形成することにより、前記各注入管の吐出口から吐出した注入材が各注入管に沿って地上に流出したり、互いに混ざり合うのを防止するようにしたことを特徴とするものである（図１〜図３）。
【００１６】
上記したいずれの方法においても、注入管の一ケ所または複数ケ所所で一定区間を湾曲に変形させ、あるいは軸方向にゆるませて結束し、当該湾曲部と前記シール材が一体に固化したシールパッカーを形成することで、注入管の外周がシールパッカーによって完全にシールされるのみならず、湾曲部内等に湾曲部等と一体となったシールパッカーが形成され、また結束注入管の内側にも湾曲部等の拡径部の隙間からシール材が入り込んで結束注入細管と一体となって固化して強固なシールパッカーを形成するため、注入管の吐出口から吐出した地盤改良材が注入管の外周面に沿って、並びに結束注入管の隙間に沿ってシールパッカーより上に上昇し、地上に溢れ出すような事態を確実に防止することができる（図１〜図７）。
【００１７】
また、湾曲部は注入管の上部（地盤表層部）、すなわち削孔の地上近くに位置するように一個（図４、図５〜図７参照）または管軸方向に複数形成してもよい(図１〜図３)。
【００１８】
シール材としては固結性材料ならすべて用いることができるがセメントグラウトやセメントベントナイト、スラグ系懸濁液、その他懸濁液を任意の強度に配合したものを用いることが好ましい。また、浸透性注入材を注入するにあたって、シール材の強度が固くて割れにくい場合は、あらかじめ水等を圧入してシール材を割裂してから浸透性注入材を注入してもよい。
【００１９】
さらに、注入材の補充用注入管を先端が湾曲部あるいはゆるめた部分に位置するように設置して、湾曲部を有する位置に注入材を補充注入することにより止水性と、固結性が高めて、注入圧が高くても地表面に注入材が逸出しにくいシールパッカーを形成することができる（図２、図３、図７参照）。また湾曲部では補充用注入管を用いて任意の注入材を用いて強固なシールパッカーを形成することもできるし、或いは一次注入材（ＣＢ（セメントベントナイト）や瞬結材等）を注入して逸脱しやすい土層を固結することができる。
【００２０】
また、上記シールパッカーは軟質性のチューブを軸方向にゆるませて結束して地盤中に設置することによりシールグラウトが容易に結束注入管同士の隙間に入り込み、結束注入細管とシールグラウトが一体となった強固なシールパッカーを形成することができる（図２）。
【００２１】
このように本発明は、各注入管の吐出口を有する上側の所定区間を孔壁側に湾曲に変形させてあるいはゆるめて拡径部を形成し、当該拡径部の各湾曲部とシール材とを一体に固化したシールパッカーを形成することで、また結束細管または拡径部を形成することによりその隙間からシールグラウトが入り込み、各注入管の外周部も内部の隙間もシールパッカーによって完全にシールされるため、各注入管の吐出口から吐出した注入材が注入管の外周面のみならず、結束注入管の隙間に沿ってシールパッカーより上に上昇することはないので、各ステージに吐出された注入材が混ざり合ってしまうのを確実に防止することができ、また、注入深度が地表面に近くても、地盤改良材の地上への逸出を防ぐことができる（図１〜図７）。
【００２２】
これにより各注入管を通して孔壁周囲の各ステージに最適量の注入材を無駄なく確実に浸透注入させることができる。また、シールパッカー中に設けた吐出口から地盤改良材を注入することによって、シールパッカーを横方向に割裂して地盤中の所定の領域に浸透させることができる。この場合、勿論、地盤改良材が注入管同士の隙間から地盤中に逸出することはない（図２）。
【００２３】
結束注入管は結束金具で複数の注入管を結束しなくても、複数の注入管を抱き合わせて削孔内に挿入したものでもよい。
【００２４】
注入管にはポリエチレンやポリエステル等の変形自在な軟質性のチューブや塩ビパイプ等が適し、鉄筋や塩ビ棒などの硬質樹脂製の棒状材からなる芯材を抱き合わせて形状を保持することにより削孔内に容易に挿入することができ、また曲線状に形成された削孔内にも容易に挿入することができる。
【００２５】
また、注入管はビニール製のチューブで形成し、鉄筋や塩ビ棒などの硬質樹脂製の棒状材を芯材として抱き合わせることにより、曲線状に形成された削孔内にも容易に挿入することができる。また、芯材に孔開きパイプを用いることにより湾曲部、或いは所定の位置から一次注入材を注入したり、シール材を追加注入することもできる。
【００２６】
また、注入圧力を高くする必要がある場合は、ナイロン等の強度の高い素材を用いてもよい。結束注入管を軟質材料で形成する利点は、工場から現場への運搬に際して丸めて現場に搬入し、現場で削孔径が大きくても小さくても任意にその湾曲を調節できるので、削孔径を小さくできるし、また湾曲部の長さも任意に調整できる。
【００２７】
注入管どうしを結束する結束部材は、簡単な止め金具であってもよいし、図１〜図４のように芯材を囲んで複数の注入管を挿入する部材でもよい。もちろんこれらを抱き合わせるだけの結束注入管でも、上記シールパッカーを設けることにより地上部への注入材の逸出を防止することができる。また、注入管の吐出口部分は、逆止弁で覆うことが好ましい。
【００２８】
本発明における注入材は、懸濁性グラウト、シリカ系グラウト、その他任意の地盤改良材料を用いることができる。
【発明の効果】
【００２９】
本発明によれば、注入管の所定区間を孔壁側に湾曲に変形させ、当該湾曲部と前記シール材が一体に固化したシールパッカーを形成することで、注入管の外周も湾曲した注入管内部もシールパッカーによって完全にシールされるため、注入管の吐出口から吐出した注入材が注入管の外周面や注入管と芯材との間に沿ってシールパッカーより上に上昇し、地上に溢れ出すような事態を確実に防止することができる。
【００３０】
また特に、結束注入管においては、吐出口を有する上側の各注入管の所定区間を孔壁側に湾曲に変形させ、当該各湾曲部とシール材とを一体に固化したシールパッカーを形成することで、各注入管の外周のみならず、湾曲部の拡径部の隙間から湾曲部内部にシール材が入り込んで固結して、シールパッカーによって完全にシールされるため、各注入管の吐出口から吐出した注入材が注入管の外周面のみならず、注入管同士の隙間に沿ってシールパッカーより上に上昇することはないので、各ステージに吐出された注入材が混ざり合ってしまったり、地上に逸出するのを確実に防止することができる。
【００３１】
これにより各注入管を通して孔壁周囲の各ステージに最適量の注入材を無駄なく確実に浸透注入させることができる。また上記シールパッカーは軟質性のチューブを軸方向にゆるませて結束して地盤中に設置することにより結束注入細管と一体となった強固なシールパッカーを形成することができる。
【図面の簡単な説明】
【００３２】
【図１】本発明の結束注入管による地盤注入装置および地盤注入方法において、削孔内に挿入された結束注入管を示し、(a)はその一部正面図、(b),(c)は、(a)におけるイ−イ線、ロ−ロ線断面図である。
【図２】軸方向にゆるませて設置した結束注入管を示し、吐出口はシールパッカー中に設けられている。
【図３】補充用注入管を備えた結束注入管を示し、(a)はその一部正面図、(b),(c)は(a)におけるイ−イ線、ロ−ロ線断面図である。
【図４】(a),(b)は、結束注入管の変形例を図示したものであり、いずれもその一部正面図である。
【図５】(a),(b)は、１本のチューブからなる注入管を示し、いずれもその側面図である。
【図６】(a),(b)は、芯材を備えた１本のチューブからなる注入管を示し、いずれもその側面図である。
【図７】(a),(b)は、補充用注入管を備えた１本のチューブからなる注入管を示し、いずれも側面図である。
【図８】(a),(b)は、本発明の実施形態を図示したものであり、(a)は複数の結束注入管、或いは図５〜図７の注入管を用いた地盤注入方法および注入装置の説明図である。(b)は複数の結束注入管を用いた地盤注入方法および注入装置である。
【図９】特許文献１に記載されている地盤注入装置の説明図である。
【発明を実施するための形態】
【００３３】
図８は、本発明の地盤注入方法および地盤注入装置の一実施形態を図示したものであり、削孔Ａ内に挿入された本発明注入管１と、当該注入管１に送液管２を通して送液される注入材の供給タンク３と、当該注入材の供給タンク３から注入管１に送液管２を通して注入材を送液するための複数のユニットポンプＰからなる送液ポンプ４を備えている。
【００３４】
また、注入管１に送液される注入材の流量と圧力を計測するための流量圧力計５、結束注入管１の各注入細管1a（図１〜４参照）に送液される注入材の送液バルブ６、さらに送液ポンプ４、流量圧力計５および送液バルブ６を適切な状態に制御するコントローラ７等を備えている。
【００３５】
結束注入管１は、例えば、図１に図示するように、下端部に吐出口1bを有する複数の注入細管1aより構成され、当該複数の注入細管1aは各注入細管1aの吐出口1bが管軸方向に一定の間隔をおいて互いに異なる位置にくるように管軸方向に添い合わせられ、かつ管軸方向に間隔をおいて複数箇所が結束部材８によって結束されている。
【００３６】
また、複数の注入細管1aの中心部に各注入細管1aの形状を保持する芯材９が結束注入管１の管軸方向に通して抱き合わせられ、複数の注入細管1aと共に一つに結束されている。
【００３７】
注入細管1aにはビニールチューブ等の変形自在な合成樹脂製のチューブが用いられ、また芯材９には金属製（鉄筋等）または硬質樹脂製の棒状材より形成されている。曲線ボーリングで形成された削孔内に挿入する場合（図示せず）は、芯材は可撓性のある材料から形成されたものが望ましい。
【００３８】
結束部材８には結束ひもやテープや結束冶具（図示せず）を用いることで、注入細管1aどうしおよび各注入細管1aと芯材９とを簡単に結束できて結束注入管１を容易に製作することができる。
【００３９】
結束冶具８は、硬質合成樹脂材などからなるブロック片から形成され、また中心に芯材９が貫通する芯材貫通孔が形成され、周縁部に複数の注入細管1aが一本ずつ貫通する複数の貫通溝が円周方向に可能な限り間隙を詰めて形成されている。
【００４０】
また、各注入細管1aどうしおよび各注入細管1aと芯材９は互いに密着するように添い合わせて結束することにより、結束注入管１の外径が可能な限り小径となるように構成され、これにより結束注入管１を挿入する削孔Ａの内径を小さくすることができる。
【００４１】
さらに、結束注入管１の各吐出口1bを有する位置の上側に孔壁側に拡径する拡径部10が形成されている。拡径部10は、各注入細管1aの管軸方向の一定区間を孔壁側にほぼ湾曲に変形させることにより形成された複数の湾曲部1c,1cより形成されている。拡径部10は各湾曲部1cの曲率を変えることにより結束注入管１の管軸方向に長軸を有する楕円体、結束注入管の管軸直角方向に長軸を有する楕円体、球体状に形成することができる。
【００４２】
これにより、結束注入管１の拡径部10においては、隣接する各注入細管1aと注入細管1aとの間、各注入細管1aと芯材９との間に充分な間隙が確保され、また、各注入細管1aと孔壁A1との間にも一定の間隙が確保される。
【００４３】
また、削孔１内に注入されたシール材Ｂは、拡径部10において隣接する各注入細管1aと注入細管1aとの間、各注入細管1aと芯材９との間、さらに孔壁A1と各注入細管1aとの間にも確実に充填されて、拡径部10と共に一体に固化して各吐出口1bの上側において削孔ＡをシールするシールパッカーＣを形成する。
【００４４】
これにより、各注入細管1aの吐出口1bから削孔Ａ内に吐出された注入材Ｂは、各拡径部10においてシールパッカーＣによって管軸方向への流れが完全に遮断されるため、各吐出口1bから吐出された注入材し吐出口近傍のシール材Ｂを砕いて孔壁A1より各ステージに浸透注入させることができる。
【００４５】
なお、図１〜図４に図示するいずれの結束注入管においても、各注入細管1aが塩ビ管などの硬質樹脂管から形成されている場合、芯材９は省略されることがある。
【００４６】
図４(a),(b)は、同じく結束注入管の変形例を図示したものであり、いずれも、図１、図３で説明した拡径部10が結束注入管１の上部に形成されている。これらの結束注入管は芯材９を備えているが削孔深度が浅かったり、注入細管がある程度硬ければ芯材を省略してもよい。この結束注入管によれば、削孔Ａの上部にシールパッカーＣが形成され、注入材が各注入細管1aに沿って地上に流出するのを防止することができる。なお、拡径部10は結束注入管の上部に複数形成されていてもよい。
【００４７】
図５、図６、図７に図示する注入管は、一本のチューブから形成され、下部に注入材の吐出口1b、上部に湾曲部1cがそれぞれ形成されている。
【００４８】
湾曲部1cは、注入管１の管軸方向の一定区間を孔壁側に湾曲に変形させることにより形成されている。
【００４９】
なお、図５(a)に図示する注入管１は１個の湾曲部1cを有し、図５(b)に図示する注入管１は、管軸方向に隣接して交互に湾曲する２個の湾曲部1c,1cを有している。また、図６(a),(b)に図示する注入管は、図５(a),(b)で説明した注入管１に芯材９を抱き合わせて形成された注入管を図示したものである。
【００５０】
さらに、図３と図７(a),(b)に図示する注入管は、シールパッカーＣを形成するシール材を補充するための補充用注入管14を備えている。補充用注入管14によってシール材を補充注入することでシールパッカーＣによる止水性を高めることができる。
【００５１】
なお、補充用注入管14は、各シールパッカーＣを形成する位置に先端部が到達するように設置されていてもよく（図３参照）、また地盤の表層部など、主な位置のシールパッカーＣを形成する位置にのみ先端部が到達するように設置されていてもよい（図７参照）。
【００５２】
これらの注入管によると、削孔Ａ内の上部に注入管１の湾曲部1cと削孔Ａ内に充填されたシール材Ｂが一体に固結してシールパッカーＣが形成されることで、注入管１の外周に沿って上昇する注入材が地上に流出するのを防止することができ、また、注入管１がシールパッカーＣを固定するアンカーとなって、注入管１の吐出口1bから吐出した注入材の上向きの水圧に抵抗する。
【００５３】
図８は、本発明の他の実施形態を図示したものであり、特に図１〜図４で説明した結束注入管を複数備えている。当該地盤注入装置によれば、広大な面積を有する地盤の地盤改良や地盤浄化をきわめて効率的にしかも短期間で行うことができる。
【００５４】
具体的に説明すると、所定領域の地盤に間隔をおいて形成された複数の削孔Ａ内に上記した結束注入管１がそれぞれ挿入されている。また、各結束注入管１に注入材の供給タンク３から延びる共通の送液管2aがそれぞれ接続され、送液管2aには供給タンク３から各注入地点の結束注入管１に注入材を送液するための送液ポンプ４、各結束注入管１に送液される注入材の流量と圧力を計測するための流量・圧力計５、各結束注入管１への送液の開始と停止を切り替える流路切替バルブ12、さらに各結束注入管１において各注入細管1aへの流量を調整する送液バルブ６等がそれぞれ接続されている。
【００５５】
さらに送液ポンプ４、各送液バルブ６および各流路切替バルブ12にはこれらの機器を適切な状態に制御するためのコントローラ７が接続されている。
【００５６】
このような構成において、送液ポンプ４、流量・圧力計５、流路切替バルブ12および流量調節６をコントローラ７によって適切に制御することにより、各注入地点に注入材を送液すると共に、各注入地点において孔壁周囲の各ステージ内に所定の量の注入材を注入することができる。また、流路切替バルブ12を操作することにより１削孔内の結束注入細管の複数の吐出口に同時に選択的に注入することもできるし、複数の削孔中に設けた結束注入細管に同時に或いは選択的に注入することもできる（図８(b)）。
【００５７】
さらに、各注入地点の送液バルブ６を操作することにより各ステージへの注入材の注入量を調節したり、注入を停止したりすることもできる。
【産業上の利用可能性】
【００５８】
本発明は、結束注入管を用いた地盤注入工法によって地盤改良や地盤浄化を実施する際に、結束注入管を構成する各注入細管の吐出口から削孔内に吐出した注入材が、削孔内で混ざり合ってしまったり地上に溢れ出したりするのを防止して、孔壁周囲の各ステージ（土層）内に注入材を確実に浸透注入させることができる。
【符号の説明】
【００５９】
１  結束注入管、注入管
1a  注入細管
1b  吐出口
1c  湾曲部
２  送液管
３  注入材の供給タンク
４  多連装注入装置
５  流量・圧力計
６  吐出口付きパイプ
７  集中管理装置
８  結束部材
９  芯材
10  拡径部
12  バルブ
14  補充用注入管
Ａ  削孔（ボーリング孔）
A1  孔壁
Ｂ  シール材
Ｃ  シールパッカー
Ｐ  ユニットポンプ
【要約】
【課題】各注入細管の吐出口から削孔内に吐出した注入材が削孔内で混合したり地上に流出したりするのを防止して、孔壁内の各ステージに浸透注入させるようにした地盤注入工法および地盤注入装置を提供する。
【解決手段】削孔Ａ内に結束注入管１を挿入し、結束注入管１と孔壁Ａ１との間隙を、シール材Ｂを注入してシールする。結束注入管１を通して孔壁周囲の各ステージに注入材を注入する。結束注入管１は下端部に吐出口１ｂを有する複数の注入細管１ａを各注入細管１ａの吐出口１ｂが管軸方向の異なる位置にくるように互いに添い合わせ結束することにより構成する。各注入細管１ａの所定区間を孔壁側に湾曲に変形させ、当該湾曲部１ｃとシール材Ｂが一体に固化したシールパッカーＣを形成することにより、各注入細管１ａの吐出口１ｂから吐出した注入材が各注入細管１ａに沿って地上に流出しないようにする。
【選択図】  図１【図１】
0005799400.tif 000002
【図２】
0005799400.tif 000003
【図３】
0005799400.tif 000004
【図４】
0005799400.tif 000005
【図５】
0005799400.tif 000006
【図６】
0005799400.tif 000007
【図７】
0005799400.tif 000008
【図８】
0005799400.tif 000009
【図９】
0005799400.tif 000010